(57)【特許請求の範囲】
【請求項１】
第１読取位置および第２読取位置を有し、前記第１読取位置で原稿の一方面の読み取りを行うとともに前記第２読取位置で原稿の一方面とは反対の他方面の読み取りを行う両面読取ジョブの実行が可能な画像読取装置であって、
原稿がセットされる原稿セットトレイと、前記原稿セットトレイから前記第１読取位置を経由して前記第２読取位置に至る原稿搬送路に沿って原稿を搬送する搬送ローラーと、前記第１読取位置を通過する原稿の一方面を読み取る第１読取部材と、前記原稿搬送路のうち前記第１読取位置と前記第２読取位置との間の所定検知位置を含む複数の検知位置において原稿の先端到達および後端通過を検知し、前記原稿搬送路でジャムが発生したか否かを検知するジャム発生検知部材と、を含む原稿搬送ユニットと、
前記第２読取位置を通過する原稿の他方面を読み取る第２読取部材と、
何枚目の原稿の搬送中にジャムが発生したかを示す情報を記憶する記憶部と、
前記原稿搬送ユニットの動作を制御する原稿搬送制御部と、を備え、
前記所定検知位置に配置された前記ジャム発生検知部材の出力に基づきジャム発生の検知対象となったジャム原稿の後端通過を前記原稿搬送制御部が検知していれば、両面の読み取りの終わった原稿、前記原稿セットトレイに残っている原稿、および、前記ジャム原稿の全てが元の順番で前記原稿セットトレイに再セットされて前記両面読取ジョブが再実行されても、前記記憶部に記憶された前記情報に基づき現在搬送されている原稿が前記ジャム原稿であると前記原稿搬送制御部が判断した場合には、前記原稿搬送制御部は、前記第１読取部材を前記ジャム原稿の搬送時に起動しないことを特徴とする画像読取装置。
【請求項２】
前記原稿セットトレイにおける原稿の有無を検知する原稿セット検知部材を備え、
前記所定検知位置に配置された前記ジャム発生検知部材の出力に基づき前記ジャム原稿の後端通過を前記原稿搬送制御部が検知し、前記原稿セット検知部材の出力に基づきジャム発生検知時に原稿無しを前記原稿搬送制御部が検知していれば、前記両面読取ジョブが再実行されても、前記原稿搬送制御部は、再実行された前記両面読取ジョブの開始から終了まで前記第１読取部材を起動しないことを特徴とする請求項１に記載の画像読取装置。
【請求項３】
前記所定検知位置に配置された前記ジャム発生検知部材の出力に基づき前記ジャム原稿の後端通過を前記原稿搬送制御部が検知し、前記原稿セット検知部材の出力に基づきジャム発生検知時に原稿有りを前記原稿搬送制御部が検知していれば、前記両面読取ジョブが再実行されると、前記原稿搬送制御部は、前記記憶部に記憶された前記情報に基づき前記ジャム原稿であると判断した原稿の次に搬送すべき原稿の搬送時から前記第１読取部材を起動することを特徴とする請求項２に記載の画像読取装置。
【請求項４】
画像を表示する表示部と、
ユーザーの指示を受け付ける受付部と、を備え、
前記所定検知位置に配置された前記ジャム発生検知部材が前記ジャム原稿の後端通過を検知していなければ、
前記表示部は、前記第１読取部材による前記ジャム原稿の一方面の読み取りによって得られた画像データに基づく画像を表示し、
前記受付部は、前記両面読取ジョブの再実行指示を受け付けるときに、前記第１読取部材による前記ジャム原稿の一方面の読み取りを再度行うか否かの選択指示を受け付けることを特徴とする請求項１〜３のいずれか１項に記載の画像読取装置。
【請求項５】
前記原稿搬送制御部は、前記所定検知位置に配置された前記ジャム発生検知部材の出力に基づき前記ジャム原稿の後端通過を検知していなければ、前記第１読取部材の読み取りによって得られたジャム発生検知時の画像データと前記第１読取位置に原稿が無いときの画像データとを比較して、前記ジャム原稿の後端が前記第１読取位置を通過していたか否かを判断し、
前記原稿搬送制御部は、前記ジャム原稿の後端が前記第１読取位置を通過していたと判断すれば、前記両面読取ジョブが再実行されても、前記ジャム原稿の搬送時に前記第１読取部材を起動しないことを特徴とする請求項１〜３のいずれか１項に記載の画像読取装置。
【請求項６】
前記原稿搬送制御部は、前記所定検知位置に配置された前記ジャム発生検知部材の出力に基づき前記ジャム原稿の後端通過を検知していなければ、前記複数の検知位置のうちいずれかの検知位置において原稿の先端到達または後端通過を検知した時点からジャム発生を検知した時点までの時間と原稿搬送速度とに基づいて、前記ジャム原稿の後端が前記第１読取位置を通過していたか否かを判断し、
前記原稿搬送制御部は、前記ジャム原稿の後端が前記第１読取位置を通過していたと判断すれば、前記両面読取ジョブが再実行されても、前記ジャム原稿の搬送時に前記第１読取部材を起動しないことを特徴とする請求項１〜３のいずれか１項に記載の画像読取装置。
【請求項７】
請求項１〜６のいずれか１項に記載の画像読取装置を備えた画像形成装置。
【発明の詳細な説明】
【技術分野】
【０００１】
本発明は、画像読取装置および画像形成装置に関する。
【背景技術】
【０００２】
従来、原稿の一方面および他方面を読み取る両面読取ジョブの実行が可能な原稿搬送ユニット付きの画像読取装置が知られている。このような画像読取装置には、原稿の一方面を読み取るための第１読取部材および原稿の他方面を読み取るための第２読取部材を別個に有するものがある。
【０００３】
たとえば、第１読取部材は、原稿搬送ユニットに設けられる。また、原稿セットトレイから第１読取部材の読取位置（第１読取位置）を経由して第２読取部材の読取位置（第２読取位置）に至る原稿搬送路や、その原稿搬送路に沿って原稿を搬送する原稿搬送部（搬送ローラー対など）も原稿搬送ユニットに設けられる。そして、両面読取ジョブの実行時には、原稿搬送部が原稿搬送路に沿って原稿を搬送することにより、まず、第１読取位置を原稿が通過し、その後、第２読取位置を原稿が通過する。このとき、第１読取位置を通過する原稿の一方面を第１読取部材によって読み取り、第２読取位置を通過する原稿の他方面を第２読取部材によって読み取る。これにより、原稿の一方面および他方面の読み取りが行われる（たとえば、特許文献１参照）。
【先行技術文献】
【特許文献】
【０００４】
【特許文献１】特開２００７−２８１７１８号公報
【発明の概要】
【発明が解決しようとする課題】
【０００５】
たとえば、両面読取ジョブの実行中にジャムが発生した場合、ユーザーは、ジャム原稿を原稿搬送路から取り除き、原稿セットトレイに再セットした後、両面読取ジョブの再実行を指示する。ここで、前回の両面読取ジョブ（ジャムが発生したために中断した両面読取ジョブ）においてジャム原稿の後端が第１読取位置を通過していなければ、第１読取部材によるジャム原稿の読み取りが未だ終わっていないが、ジャム原稿の後端が第１読取位置を通過していれば、第１読取部材によるジャム原稿の読み取りは既に終わっている。したがって、前回の両面読取ジョブにおいてジャム原稿の後端が第１読取位置を通過していれば、両面読取ジョブが再実行されても、ジャム原稿の搬送時に第１読取部材による読み取りは不要である。
【０００６】
しかし、通常では、両面読取ジョブが再実行されると、第１読取部材による読み取りが必要か不要かにかかわらず、両面読取ジョブの開始から第１読取部材が起動し、両面読取ジョブが終了するまで第１読取部材が起動したまま保持される。具体的には、第１読取部材のランプが点灯され、第１読取部材での読み取りが可能な状態にされる。したがって、両面読取ジョブの再実行時に、第１読取部材において電力が無駄に消費されてしまうという不都合が生じる。
【０００７】
本発明は、上記課題を解決するためになされたものであり、ジャム発生により中断した両面読取ジョブの再実行時に消費電力を低減することが可能な画像読取装置および画像形成装置を提供することを目的とする。
【課題を解決するための手段】
【０００８】
上記目的を達成するため、本発明の画像読取装置は、第１読取位置および第２読取位置を有し、第１読取位置で原稿の一方面の読み取りを行うとともに第２読取位置で原稿の一方面とは反対の他方面の読み取りを行う両面読取ジョブの実行が可能な画像読取装置であって、原稿がセットされる原稿セットトレイと、原稿セットトレイから第１読取位置を経由して第２読取位置に至る原稿搬送路に沿って原稿を搬送する搬送ローラーと、第１読取位置を通過する原稿の一方面を読み取る第１読取部材と、原稿搬送路のうち第１読取位置と第２読取位置との間の所定検知位置を含む複数の検知位置において原稿の先端到達および後端通過を検知し、原稿搬送路でジャムが発生したか否かを検知するジャム発生検知部材と、を含む原稿搬送ユニットを備える。また、画像読取装置は、第２読取位置を通過する原稿の他方面を読み取る第２読取部材を備える。そして、第１読取部材は、所定検知位置に配置されたジャム発生検知部材がジャム発生の検知対象となったジャム原稿の後端通過を検知していれば、原稿セットトレイにジャム原稿が再セットされて両面読取ジョブが再実行されても、ジャム原稿の搬送時に起動しない。
【０００９】
ここで、所定検知位置は第１読取位置と第２読取位置との間の位置（第１読取位置よりも原稿搬送方向下流側の位置）であるので、ジャム原稿の後端が所定検知位置を通過しているということは、ジャム原稿の後端が第１読取位置を通過している（第１読取部材によるジャム原稿の一方面の読み取りが既に終わっている）ということである。したがって、前回の両面読読取ジョブ（ジャムが発生したために中断した両面読取ジョブ）においてジャム原稿の後端が所定検知位置を通過してれば、両面読取ジョブの再実行時にジャム原稿の一方面を再度読み取る必要はない。
【００１０】
このため、第１読取部材は、所定検知位置に配置されたジャム発生検知部材がジャム原稿の後端通過を検知していれば、両面読取ジョブが再実行されても、ジャム原稿の搬送時に起動しない。これにより、両面読取ジョブの再実行時における第１読取部材での消費電力を低減することができるので、更なる省電力化が可能となる。
【発明の効果】
【００１１】
本発明では、ジャム発生により中断した両面読取ジョブの再実行時に消費電力を低減することができる。
【図面の簡単な説明】
【００１２】
【図１】本発明の一実施形態による画像読取装置を備える画像形成装置の概略図
【図２】図１に示した画像読取装置の概略図
【図３】図１に示した画像読取装置の第１読取部材の詳細図
【図４】図１に示した画像読取装置（画像読取装置）のハードウェア構成を説明するためのブロック図
【図５】図１に示した画像読取装置（原稿搬送ユニット）のハードウェア構成を説明するためのブロック図
【図６】図１に示した画像読取装置（画像読取ユニット）のハードウェア構成を説明するためのブロック図
【図７】図１に示した画像読取装置において両面読取ジョブが再実行されたときの制御の流れを説明するためのフローチャート
【発明を実施するための形態】
【００１３】
本発明の一実施形態による画像読取装置を備えた画像形成装置について、画像読取ジョブ（スキャンジョブ）やコピージョブなど複数種のジョブの実行が可能な複合機を例にとって説明する。
【００１４】
（画像形成装置の全体構成）
図１に示すように、画像形成装置１００は、本体上方に装着された画像読取装置２００を備える。画像読取装置２００は、原稿Ｄを読み取って画像データを生成する。なお、画像読取装置２００の構成については、後に詳細に説明する。
【００１５】
また、画像形成装置１００は、給紙部３、用紙搬送部４、画像形成部５および定着部６で構成されるエンジン部７を備える。そして、エンジン部７は、用紙搬送路７０に沿って用紙Ｐを搬送し、画像データ（たとえば、画像読取装置２００による原稿Ｄの読み取りによって得られた画像データなど）に基づく画像を用紙Ｐに印刷して出力する。
【００１６】
給紙部３は、ピックアップローラー３１および給紙ローラー対３２を含み、用紙カセット３３に収容された用紙Ｐを用紙搬送路７０に供給する。用紙搬送部４は、複数の搬送ローラー対４１を含み、用紙搬送路７０に沿って用紙Ｐを搬送し、印刷済みの用紙Ｐを排出トレイ４２に排出する。
【００１７】
画像形成部５は、感光体ドラム５１、帯電装置５２、露光装置５３、現像装置５４、転写ローラー５５およびクリーニング装置５６を含む。そして、画像形成部５は、画像データに基づきトナー像を形成し、そのトナー像を用紙Ｐに転写する。定着部６は、加熱ローラー６１および加圧ローラー６２を含み、用紙Ｐに転写されたトナー像を加熱および加圧して定着させる。
【００１８】
（画像読取装置の構成）
図２に示すように、画像読取装置２００は、搬送読取用のコンタクトガラス２０ａおよび載置読取用のコンタクトガラス２０ｂを有する。そして、画像読取装置２００は、コンタクトガラス２０ａ上を通過する原稿Ｄを読み取る搬送読取およびコンタクトガラス２０ｂ上に載置された原稿Ｄを読み取る載置読取の実行が可能に構成されている。
【００１９】
具体的な構成としては、画像読取装置２００は、コンタクトガラス２０ａおよび２０ｂが嵌め込まれる読取台２０を有し、その読取台２０に対して開閉可能（回動可能）に取り付けられた原稿搬送ユニット１を備える。コンタクトガラス２０ａおよび２０ｂは、原稿搬送ユニット１が閉じられると、原稿搬送ユニット１によって覆われる。そして、搬送読取ジョブは、原稿搬送ユニット１が閉じた状態で実行される。また、載置読取ジョブの実行に際して、原稿搬送ユニット１を閉じることにより、コンタクトガラス２０ｂ上に載置した原稿Ｄを押え付けることができる。
【００２０】
原稿搬送ユニット１は、原稿セットトレイ１１、原稿排出トレイ１２、給紙部１３および原稿搬送部１４を備える。また、原稿搬送ユニット１には、原稿Ｄを搬送するための原稿搬送路１０が設けられている。
【００２１】
原稿セットトレイ１１は、読取対象の原稿Ｄがセットされるトレイであり、原稿搬送路１０の一端側に配置される。原稿排出トレイ１２は、読み取りの終わった原稿Ｄが排出されるトレイであり、原稿搬送路１０の他端側に配置される。搬送読取時には、原稿セットトレイ１１にセットされた原稿Ｄが原稿搬送路１０に供給されるとともに、原稿搬送路１０に沿って搬送され、最終的に原稿排出トレイ１２に排出される。ここで、搬送読取時の読取位置（コンタクトガラス２０ａ上の位置）は、原稿搬送路１０に沿って搬送される原稿Ｄの搬送経路の途中の位置とされている。これにより、原稿搬送路１０に沿って原稿Ｄが搬送されると、原稿Ｄがコンタクトガラス２０ａ上を通過する。なお、原稿Ｄがコンタクトガラス２０ａ上を通過するとき、原稿Ｄの表面（原稿セットトレイ１１への原稿Ｄのセット時に上方に向けられた面）がコンタクトガラス２０ａと対向する。
【００２２】
給紙部１３は、原稿搬送路１０の上流側に設けられている。この給紙部１３は、ピックアップローラー１３ａ、給紙ベルト１３ｂおよび分離ローラー１３ｃを含む。ピックアップローラー１３ａは、原稿セットトレイ１１にセットされた原稿Ｄと当接した状態で回転する。これにより、原稿セットトレイ１１から原稿Ｄが引き出され、給紙ニップに進入する。給紙ベルト１３ｂは、駆動ローラー１３ｄと従動ローラー１３ｅとによって張架され、分離ローラー１３ｃとの間で給紙ニップを形成する。そして、給紙ベルト１３ｂは、駆動ローラー１３ｄが回転することで周回し、給紙ニップに進入した原稿Ｄを原稿搬送路１０に供給する。分離ローラー１３ｃは、原稿搬送方向と逆方向に原稿Ｄが進行するよう回転する。このため、原稿セットトレイ１１から原稿Ｄが複数枚重なって引き出されたとしても、複数枚重なった原稿Ｄが１枚ずつに分離される。
【００２３】
原稿搬送部１４は、原稿搬送路１０に沿って配置された複数の搬送ローラー対１４ａ〜１４ｅ（本発明の「搬送ローラー」に相当）を複数含み、原稿搬送路１０に沿って原稿Ｄを搬送する。なお、搬送ローラー対１４ａ〜１４ｅは、この順番で原稿搬送路１０の上流側から配置されている。搬送ローラー対１４ａ〜１４ｅのうち給紙部１３に最も近い搬送ローラー対１４ａは、レジストローラー対１４ａである。レジストローラー対１４ａは、原稿Ｄの進行を一旦停止させ、原稿Ｄを撓ませて原稿Ｄの斜行を補正する。
【００２４】
また、原稿搬送ユニット１には、原稿搬送路１０の複数の検知位置ＤＰ１〜ＤＰ４において原稿Ｄの有無（先端到達および後端通過）を検知するための複数の原稿検知センサーＤＳ１〜ＤＳ４が設けられている。これら原稿検知センサーＤＳ１〜ＤＳ４は、本発明の「ジャム発生検知部材」に相当する。原稿検知センサーＤＳ１〜ＤＳ４は、たとえば、検知対象に向けて光を発光する発光部および検知対象からの反射光を受光する受光部を有する反射型の光センサーである。そして、原稿検知センサーＤＳ１〜ＤＳ４の各出力は、対応する検知位置ＤＰに原稿Ｄが有るときと無いときとで変動する。
【００２５】
なお、原稿検知センサーＤＳ１は、レジストローラー対１４ａの原稿搬送方向上流側の検知位置ＤＰ１において原稿Ｄの有無を検知するためのセンサーである。原稿検知センサーＤＳ２は、搬送ローラー対１４ｂと搬送ローラー対１４ｃとの間のうち搬送ローラー対１４ｂの近傍の検知位置ＤＰ２（後述する第１読取位置ＲＰ１よりも原稿搬送方向上流側の位置）において原稿Ｄの有無を検知するためのセンサーである。原稿検知センサーＤＳ３は、搬送ローラー対１４ｂと搬送ローラー対１４ｃとの間のうち搬送ローラー対１４ｃの近傍の検知位置ＤＰ３（後述する第１読取位置ＲＰ１よりも原稿搬送方向下流側の位置）において原稿Ｄの有無を検知するためのセンサーである。原稿検知センサーＤＳ４は、搬送ローラー対１４ｄと搬送ローラー対１４ｅとの間のうち搬送ローラー対１４ｅの近傍の検知位置ＤＰ４において原稿Ｄの有無を検知するためのセンサーである。
【００２６】
原稿搬送ユニット１には、原稿セットトレイ１１における原稿Ｄの有無を検知するための原稿セットセンサーＳＳも設けられている。この原稿セットセンサーＳＳは、本発明の「原稿セット検知部材」に相当する。原稿セットセンサーＳＳは、たとえば、発光部、受光部、および、発光部と受光部との間を上下方向に移動するとともに原稿セットトレイ１１上の領域（原稿Ｄがセットされる領域）に突出するアクチュエーターを有する光センサーである。原稿セットセンサーＳＳのアクチュエーターは、原稿セットトレイ１１に原稿Ｄが有ると、原稿Ｄに押圧されて下方に移動し、発光部と受光部との間の光路を遮断（または、開放）する。一方で、原稿セットセンサーＳＳのアクチュエーターは、原稿セットトレイ１１から原稿Ｄが無くなると、原稿Ｄによる押圧が解除されることで上方に移動し、発光部と受光部との間の光路を開放（または、遮断する）する。これにより、原稿セットトレイ１１に原稿Ｄが有るときと無いときとで原稿セットセンサーＳＳの出力が変動する。
【００２７】
また、画像読取装置２００は、原稿台２０上の原稿Ｄを光学的に読み取る画像読取ユニット２を備える。画像読取ユニット２は、ランプ２１、ミラー２２、レンズ２３およびイメージセンサー２４で構成される画像読取部材２５を含む。
【００２８】
ランプ２１は、複数のＬＥＤ素子を有し、原稿Ｄに照射する光を生成する。複数のＬＥＤ素子は、図示しないが、読取ライン方向である主走査方向（図２の紙面に対して垂直な方向）にライン状に配列されている。なお、冷陰極管などをランプ２１として用いてもよい。そして、ランプ２１は、コンタクトガラス２０ａ上を通過する原稿Ｄを読み取るときには、コンタクトガラス２０ａに向けて光を照射する（コンタクトガラス２０ａを透過した光が原稿Ｄの一方面を照射する）。一方で、ランプ２１は、コンタクトガラス２０ｂ上に載置された原稿Ｄを読み取るときには、コンタクトガラス２０ｂに向けて光を照射する（コンタクトガラス２０ｂを透過した光が原稿Ｄの一方面を照射する）。原稿Ｄで反射された反射光は、ミラー２２で反射され、レンズ２３に導かれる。レンズ２３は、反射光を集光する。
【００２９】
イメージセンサー２４は、原稿Ｄで反射された反射光（レンズ２３で集光された光）を受光することにより原稿Ｄをライン単位で読み取る。このイメージセンサー２４は、主走査方向にライン状に並ぶ複数の光電変換素子を有するＣＣＤからなり、反射光を受光すると、ライン単位で画素毎に光電変換して電荷を蓄積する。そして、イメージセンサー２４は、蓄積電荷に応じたアナログ信号を出力する。すなわち、イメージセンサー２４の画素毎のアナログ出力は、反射光の光量に応じて変動する。
【００３０】
ランプ２１およびミラー２２は、主走査方向と直交する副走査方向に移動可能な保持部材２６によって保持される。保持部材２６は、ワイヤー２７の一端と連結される。ワイヤー２７の他端は、回転することでワイヤー２７を巻き取る巻取ドラム２８に連結される。これにより、巻取ドラム２８が回転することによって保持部材２６が副走査方向に移動し、ランプ２１およびミラー２２が保持部材２６と共に副走査方向に移動する。なお、保持部材２６には複数本のワイヤー２７が連結されており、複数本のワイヤー２７が架けまわされる。ただし、図２では、便宜上、ワイヤー２７を１本のみ図示している。
【００３１】
搬送読取時には、保持部材２６がコンタクトガラス２０ａの下方に移動して静止する。その後、原稿搬送ユニット１がコンタクトガラス２０ａ上に原稿Ｄを搬送する。このとき、コンタクトガラス２０ａ上を通過する原稿Ｄに対してランプ２１が光を照射し、原稿Ｄで反射された反射光の光電変換をイメージセンサー２４が連続して繰り返し行う。これにより、原稿Ｄの表面（原稿セットトレイ１１への原稿Ｄのセット時に上方に向けられた面）の読み取りがライン単位で行われる。
【００３２】
一方で、載置読取時には、保持部材２６が副走査方向（正面から見て左から右に向かう方向）に移動する。そして、保持部材２６が副走査方向に移動している最中に、コンタクトガラス２０ｂ上に載置された原稿Ｄに対してランプ２１が光を照射し、原稿Ｄで反射された反射光の光電変換をイメージセンサー２４が連続して繰り返し行う。これにより、原稿Ｄのコンタクトガラス２０ｂと対向する面の読み取りがライン単位で行われる。
【００３３】
ここで、画像読取装置２００は、両面読取ジョブの実行が可能となっており、搬送読取時に原稿Ｄの表面（原稿セットトレイ１１への原稿Ｄのセット時に上方に向けられた面）を読み取る画像読取部材２５とは別に、搬送読取時に原稿Ｄの裏面（原稿セットトレイ１１への原稿Ｄのセット時に下方に向けられた面）を読み取るための画像読取部材１５を備える。なお、搬送読取時に原稿Ｄの裏面（一方面）を読み取るための画像読取部材１５は、本発明の「第１読取部材」に相当する。一方で、搬送読取時に原稿Ｄの表面（他方面）を読み取るための画像読取部材２５は、本発明の「第２読取部材」に相当する。以下の説明では、画像読取部材１５を第１読取部材１５と称し、画像読取部材２５を第２読取部材２５と称する。また、第１読取部材１５の読取位置を第１読取位置ＲＰ１と称し、第２読取部材２５の搬送読取時の読取位置（コンタクトガラス２０ａ上の位置）を第２読取位置ＲＰ２と称する。
【００３４】
この第１読取部材１５は、原稿搬送ユニット１に設けられている。そして、原稿搬送路１０は、第１読取位置ＲＰ１を経由して第２読取位置ＲＰ２に至るように形成されている。すなわち、原稿搬送路１０のうち第２読取位置ＲＰ２よりも上流側の位置が第１読取位置ＲＰ１とされている。これにより、両面読取ジョブの実行時には、まず、第１読取位置ＲＰ１を原稿Ｄが通過し、そのときに原稿Ｄの裏面が第１読取部材１５によって読み取られる。その後、第２読取位置ＲＰ２を原稿Ｄが通過し、そのときに原稿Ｄの表面が第２読取部材２５によって読み取られる。
【００３５】
第１読取部材１５は、図３に示すように、ＬＥＤランプ１６、コンタクトガラス１７、結像レンズ１８およびイメージセンサー１９で構成され、これら各部材が一体化されたＣＩＳユニットである。ＬＥＤランプ１６は、赤色ＬＥＤ、緑色ＬＥＤおよび青色ＬＥＤを含む。そして、ＬＥＤランプ１６から発せられた光は、導光体１６ａによって線状光に変換され、コンタクトガラス１７に照射される。すなわち、第１読取位置ＲＰ１に原稿Ｄが有れば、コンタクトガラス１７を透過した光によって原稿Ｄの裏面が照射される。
【００３６】
結像レンズ１８は、ロッドレンズアレイであり、原稿Ｄで反射された反射光を受ける。イメージセンサー１９は、ＲＧＢ各色のラインセンサーを含み、結像レンズ１８を介して原稿Ｄで反射された反射光を受光する。イメージセンサー１９は、原稿Ｄからの反射光を受光すると、ライン単位で画素毎に光電変換して電荷を蓄積し、蓄積電荷に応じたアナログ信号を出力する。すなわち、イメージセンサー１９の画素毎のアナログ信号は、反射光の光量に応じて変動する。
【００３７】
また、第１読取部材１５と対向する位置には、原稿Ｄを搬送するための搬送ローラー１５ａが設けられている。搬送ローラー１５ａは、シェーディング補正で用いる白基準データを取得するため、その外周面が白色とされている。なお、シェーディング補正で用いる白基準データを取得する場合には、第１読取位置ＲＰ１に原稿Ｄが無い状態で、搬送ローラー１５ａの外周面を照射し、搬送ローラー１５ａの外周面を読み取る。
【００３８】
図１に戻って、画像読取装置２００は、操作パネル８を備える。操作パネル８は、タッチパネル付きの液晶表示部８１を含む。液晶表示部８１は、ユーザーから各種設定などを受け付けるためのソフトキーやメッセージなどを表示する。さらに、操作パネル８には、テンキー８２やスタートキー８３などのハードキーも設けられている。
【００３９】
（画像形成装置（画像読取装置）のハードウェア構成）
図４に示すように、画像形成装置１００（画像読取装置２００）は、主制御部１１０を備える。この主制御部１１０は、メインＣＰＵ１１１、画像処理部１１２および記憶部１１３を含む。画像処理部１１２は、画像処理専用のＡＳＩＣなどからなり、画像データに対して画像処理（拡大／縮小、濃度変換およびデータ形式変換など）を施す。記憶部１１３は、ＲＯＭおよびＲＡＭなどからなり、プログラムおよびデータを記憶する。そして、主制御部１１０は、記憶部１１３に記憶されたプログラムおよびデータに基づき、画像形成装置１００の全体制御を行う。
【００４０】
また、図５および図６に示すように、主制御部１１０は、原稿搬送制御部１２０および画像読取制御部１３０と接続される。そして、原稿搬送制御部１２０は、主制御部１１０から指示を受け、原稿搬送ユニット１の動作を制御する。画像読取制御部１３０は、主制御部１１０から指示を受け、画像読取ユニット２の動作を制御する。
【００４１】
原稿搬送制御部１２０は、ＣＰＵ１２１および記憶部１２２を含む。原稿搬送制御部１２０は、給紙部１３や原稿搬送部１４の各ローラーを回転させるための搬送モーターＭ１と接続される。そして、原稿搬送制御部１２０は、搬送モーターＭ１の駆動を制御し、給紙部１３や原稿搬送部１４の各ローラーを適切に回転させる。
【００４２】
また、原稿搬送制御部１２０は、原稿検知センサーＤＳ１〜ＤＳ４と接続され、原稿検知センサーＤＳ１〜ＤＳ４の各出力に基づき、原稿搬送路１０の検知位置ＤＰ１〜ＤＰ４において原稿Ｄの有無（先端到達および後端通過）を検知する。そして、原稿搬送制御部１２０は、原稿搬送路１０においてジャムが発生したか否かを検知したり、原稿Ｄの搬送タイミングを計ったりする。さらに、原稿搬送制御部１２０は、原稿セットセンサーＳＳと接続され、原稿セットセンサーＳＳの出力に基づき、原稿セットトレイ１１における原稿Ｄの有無を検知する。
【００４３】
また、原稿搬送制御部１２０は、第１読取部材１５と接続され、第１読取部材１５による原稿Ｄの読取動作を制御する。さらに、原稿搬送制御部１２０は、第１読取部材１５の出力（イメージセンサー１９のアナログ出力）を処理するため、アナログ処理部２０１、補正部２０２および画像メモリー２０３と接続される。アナログ処理部２０１は、増幅回路やＡ／Ｄ変換回路などを含む。そして、アナログ処理部２０１は、イメージセンサー１９のアナログ出力を増幅し、デジタルの画像データに変換して出力する。補正部２０２は、シェーディング補正などの補正を行う。画像メモリー２０３は、画像データを蓄積し、主制御部１１０（画像処理部１１２）に転送する。
【００４４】
画像読取制御部１３０は、ＣＰＵ１３１および記憶部１３２を含む。画像読取制御部１３０は、巻取ドラム２８を回転させるための巻取モーターＭ２と接続される。そして、画像読取制御部１３０は、巻取モーターＭ２の駆動を制御し、巻取ドラム２８を適切に回転させる。すなわち、画像読取制御部１３０は、第２読取部材２５を副走査方向の適切な位置に移動させる。
【００４５】
また、画像読取制御部１３０は、第２読取部材２５と接続され、第２読取部材２５による原稿Ｄの読取動作を制御する。さらに、画像読取制御部１３０は、第２読取部材２５の出力（イメージセンサー２４のアナログ出力）を処理するため、アナログ処理部３０１、補正部３０２および画像メモリー３０３と接続される。アナログ処理部３０１は、増幅回路やＡ／Ｄ変換回路などを含む。そして、アナログ処理部３０１は、イメージセンサー２４のアナログ出力を増幅し、デジタルの画像データに変換して出力する。補正部３０２は、シェーディング補正などの補正を行う。画像メモリー３０３は、画像データを蓄積し、主制御部１１０（画像処理部１１２）に転送する。
【００４６】
また、主制御部１１０は、操作パネル８と接続され、操作パネル８の表示動作を制御したり、操作パネル８に対して行われた操作を検知したりする。たとえば、主制御部１１０は、ジョブに関する各種設定を受け付けるための設定画面（図示せず）を初期画面として液晶表示部８１に表示させる。なお、画像読取ジョブに関する設定画面が初期画面として設定されていてもよいし、コピージョブなど他のジョブに関する設定画面が初期画面として設定されていてもよい。画像読取ジョブに関する設定画面では、原稿Ｄの片面を読み取るか両面を読み取るかの選択などを行える。そして、主制御部１１０は、画像読取ジョブに関する設定画面において両面読取が選択され、スタートキー８３が押下されると、その押下操作を両面読取ジョブの実行指示として認識する。
【００４７】
（両面読取ジョブの実行時の動作）
主制御部１１０は、操作パネル８が両面読取ジョブの実行指示を受け付けると、原稿搬送制御部１２０および画像読取制御部１３０に両面読取ジョブの実行を指示する。これにより、両面読取ジョブが実行される。以下に、図２を参照して、両面読取ジョブの実行時の動作について説明する。
【００４８】
まず、原稿搬送制御部１２０は、給紙部１３に給紙動作を行わせ、原稿搬送部１４に搬送動作を行わせる。すなわち、給紙部１３は、原稿セットトレイ１１にセットされた原稿Ｄを原稿搬送路１０に供給する。また、原稿搬送部１４は、原稿搬送路１０に沿って原稿Ｄを搬送する。
【００４９】
原稿セットトレイ１１から原稿搬送路１０に供給された原稿Ｄが原稿搬送路１０に沿って搬送され、その原稿Ｄの先端が検知位置ＤＰ２に到達すると、原稿検知センサーＤＳ２の出力が変動するので、原稿搬送制御部１２０が検知位置ＤＰ２において原稿Ｄの先端到達を検知する。そして、原稿搬送制御部１２０は、検知位置ＤＰ２に原稿Ｄの先端が到達してから所定時間が経過したとき、第１読取部材１５に原稿Ｄの裏面の読み取りを開始させる。なお、第１読取部材１５による読取開始タイミングを計るための所定時間は、検知位置ＤＰ２と第１読取位置ＲＰ１との間の距離を原稿Ｄが進行するのに要する予定時間であり、検知位置ＤＰ２と第１読取位置ＲＰ１との間の距離および原稿搬送速度に基づき予め算出することができる時間である。これにより、原稿Ｄの先端が第１読取位置ＲＰ１に到達したときに、第１読取部材１５による原稿Ｄの裏面の読み取りが開始される。
【００５０】
続いて、第１読取位置ＲＰ１を通過した原稿Ｄの先端が検知位置ＤＰ３に到達すると、原稿検知センサーＤＳ３の出力が変動するので、原稿搬送制御部１２０が検知位置ＤＰ３において原稿Ｄの先端到達を検知する。そして、原稿搬送制御部１２０は、検知位置ＤＰ３に原稿Ｄの先端が到達したことを画像読取制御部１３０に通知する。この通知を受けた画像読取制御部１３０は、検知位置ＤＰ３に原稿Ｄの先端が到達してから所定時間が経過したとき、第２読取部材２５に原稿Ｄの表面の読み取りを開始させる。なお、第２読取部材２５による読取開始タイミングを計るための所定時間は、検知位置ＤＰ３と第２読取位置ＲＰ２との間の距離を原稿Ｄが進行するのに要する予定時間であり、検知位置ＤＰ３と第１読取位置ＲＰ２との間の距離および原稿搬送速度に基づき予め算出することができる時間である。これにより、原稿Ｄの先端が第２読取位置ＲＰ２に到達したときに、第２読取部材２５による原稿Ｄの表面の読み取りが開始される。
【００５１】
原稿Ｄの後端が第１読取位置ＲＰ１を通過すると、原稿Ｄの裏面の読み取りが終わり、原稿Ｄの後端が第２読取位置ＲＰ２を通過すると、原稿Ｄの表面の読み取りが終わる。両面の読み取りが終わった原稿Ｄは、原稿搬送路１０に沿って搬送され、原稿排出トレイ１２に排出される。これにより、１枚分の原稿Ｄの両面読取が終わる。
【００５２】
また、原稿搬送制御部１２０は、原稿セットセンサーＳＳの出力に基づき、原稿セットトレイ１１における原稿Ｄの有無（原稿セットトレイ１１に原稿Ｄ残っているか否か）を検知する。原稿セットトレイ１１に原稿Ｄが残っていなければ、現在搬送中の原稿Ｄの両面の読み取りが終わり、その原稿Ｄが原稿排出トレイ１２に排出されると、両面読取ジョブが終了する。一方で、原稿セットトレイ１１に原稿Ｄが残っていれば、原稿Ｄが無くなるまで、両面読取ジョブが続く。
【００５３】
ここで、原稿搬送制御部１２０は、両面読取ジョブの実行中に検知位置ＤＰ１〜ＤＰ４において原稿Ｄの先端到達および後端通過を検知し、ジャムが発生したか否かを検知する。たとえば、原稿搬送制御部１２０は、検知位置ＤＰ１〜ＤＰ４のうち或る検知位置（第１検知位置とする）において原稿Ｄの先端到達を検知してから計時を開始する。そして、原稿搬送制御部１２０は、第１検知位置において原稿Ｄの先端到達を検知してから所定時間が経過したときに、第１検知位置よりも原稿搬送方向下流側の検知位置（第２検知位置とする）において原稿Ｄの先端到達を検知できなければ、ジャムが発生したと判断する。この場合の所定時間というのは、第１検知位置と第２検知位置との間を原稿Ｄが進行するのに要する予定時間であり、第１検知位置と第２検知位置との間の距離および原稿搬送速度に基づき予め算出することができる時間である。
【００５４】
あるいは、原稿搬送制御部１２０は、検知位置ＤＰ１〜ＤＰ４のうち或る検知位置において原稿Ｄの先端到達を検知してから、所定時間が経過しても同じ検知位置において原稿Ｄの後端通過を検知できなければ、ジャムが発生したと判断する。この場合の所定時間というのは、或る検知位置に原稿Ｄの先端が到達してから同じ検知位置を原稿Ｄの後端が通過するのに要する予定時間であり、原稿Ｄの長さおよび原稿搬送速度に基づき予め算出することができる時間である。
【００５５】
原稿搬送制御部１２０は、両面読取ジョブの実行中にジャム発生を検知すると、何枚目の原稿Ｄの搬送中にジャムが発生したかを示す情報を記憶部１２２に記憶させる。
【００５６】
また、原稿搬送制御部１２０は、両面読取ジョブの実行中にジャム発生を検知すると、ジャム発生を検知した旨を主制御部１１０に通知する。そして、主制御部１１０は、原稿搬送制御部１２０および画像読取制御部１３０に指示し、両面読取ジョブを中断させる。さらに、主制御部１１０は、操作パネル８に指示し、ジャムが発生したことを報知させる。たとえば、操作パネル８は、ジャムが発生したことを示すメッセージや、両面読取ジョブの再スタートを促すメッセージを液晶表示部８１に表示する。なお、本実施形態では、両面読取ジョブの実行中にジャムが発生した場合、両面の読み取りの終わった原稿Ｄ（原稿排出トレイ１２に排出された原稿Ｄ）、原稿セットトレイ１１に残っている原稿Ｄ、および、ジャム発生の検知対象となった原稿Ｄ（以下、ジャム原稿Ｄと称する）の全てを元の順番で原稿セットトレイ１１に再セットしてから、両面読取ジョブを再スタートするよう定めている。
【００５７】
（両面読取ジョブの再実行時の動作）
主制御部１１０は、両面読取ジョブの実行中にジャムが発生した後（両面読取ジョブを中断した後）、操作パネル８が両面読取ジョブの実行指示を再び受け付けると、原稿搬送制御部１２０および画像読取制御部１３０に両面読取ジョブの再実行を指示する。これにより、両面読取ジョブが再実行される。
【００５８】
ただし、前回の両面読取ジョブ（ジャムが発生したために中断した両面読取ジョブ）においてジャム原稿Ｄの後端が第１読取位置ＲＰ１を通過していれば、第１読取部材１５によるジャム原稿Ｄの裏面の読み取りは既に終わっている。このため、両面読取ジョブが再実行されても、第１読取部材１５によるジャム原稿Ｄの裏面の読み取りを行う必要はない。そこで、原稿搬送制御部１２０は、両面読取ジョブの実行中にジャム発生を検知した場合、ジャム原稿Ｄの後端が第１読取位置ＲＰ１を通過していたか否かを判断する。
【００５９】
具体的には、原稿搬送制御部１２０は、原稿検知センサーＤＳ３の出力に基づき、ジャム原稿Ｄの後端が検知位置ＤＰ３を通過していたか否かを検知する。ここで、検知位置ＤＰ３は、第１読取位置ＲＰ１よりも原稿搬送方向下流側の位置（第１読取位置ＲＰ１と第２読取位置ＲＰ２との間の位置）である。すなわち、ジャム原稿Ｄの後端が検知位置ＤＰ３を通過しているということは、ジャム原稿Ｄの後端が第１読取位置ＲＰ１を通過している（第１読取部材１５によるジャム原稿Ｄの裏面の読み取りが既に終わっている）ということである。したがって、原稿搬送制御部１２０は、検知位置ＤＰ３に配置された原稿検知センサーＤＳ３がジャム原稿Ｄの後端通過を検知していれば、ジャム原稿Ｄの後端が第１読取位置ＲＰ１を通過していたと判断する。この構成においては、検知位置ＤＰ３が本発明の「所定検知位置」に相当する。
【００６０】
そして、原稿搬送制御部１２０は、検知位置ＤＰ３に配置された原稿検知センサーＤＳ３がジャム原稿Ｄの後端通過を検知していれば、原稿セットトレイ１１にジャム原稿Ｄが再セットされて両面読取ジョブが再実行されても、ジャム原稿Ｄの搬送時に第１読取部材１５を起動させない。すなわち、ジャム原稿Ｄの搬送時に、ＬＥＤランプ１６は点灯せず、イメージセンサー１９は光電変換を行わない。また、第１読取部材１５の出力（イメージセンサー１９のアナログ出力）を処理するためのアナログ処理部２０１や補正部２０２も動作しない。
【００６１】
ところで、両面読取ジョブの実行中に原稿搬送制御部１２０がジャム発生を検知したときに、原稿セットトレイ１１に原稿Ｄが残っていない場合もあれば、残っている場合もある。たとえば、原稿セットトレイ１１に１枚だけ原稿Ｄがセットされ、その原稿Ｄの搬送中にジャムが発生すれば、ジャム発生検知時に原稿セットトレイ１１に原稿Ｄが残っていない状態となる。あるいは、原稿セットトレイ１１に複数枚の原稿Ｄがセットされ、複数枚の原稿Ｄのうち最終頁の原稿Ｄの搬送中にジャムが発生すれば（最終項の原稿Ｄがジャム原稿Ｄであれば）、ジャム発生検知時に原稿セットトレイ１１に原稿Ｄが残っていない状態となる。一方で、原稿セットトレイ１１に複数枚の原稿Ｄがセットされ、最終頁の原稿Ｄよりも前の頁の原稿Ｄの搬送中にジャムが発生すれば、ジャム発生検知時に原稿セットトレイ１１に原稿Ｄが残っている状態となる。
【００６２】
ジャム発生検知時に原稿セットトレイ１１に原稿Ｄが残っておらず、ジャム原稿Ｄの後端が検知位置ＤＰ３を通過していれば、ジャム原稿Ｄ（原稿セットトレイ１１に複数枚の原稿Ｄがセットされていた場合にはジャム原稿Ｄを含む全ての原稿Ｄ）の裏面の読み取りが終わっている。したがって、両面読取ジョブの再実行時に、第１読取部材１５による読み取りを行う必要がない。一方で、ジャム発生検知時に原稿セットトレイ１１に原稿Ｄが残っていれば、ジャム原稿Ｄの後端が検知位置ＤＰ３を通過していたとしても、ジャム原稿Ｄよりも後の頁の原稿Ｄについては裏面の読み取りが終わっていない。このため、両面読取ジョブの再実行時に、ジャム原稿Ｄの次以降に搬送される原稿Ｄについては第１読取部材１５による読み取りを行う必要がある。
【００６３】
このため、原稿搬送制御部１２０は、両面読取ジョブの実行中にジャム発生を検知した場合に、原稿セットセンサーＳＳの出力に基づき、原稿セットトレイ１１における原稿Ｄの有無を検知する。そして、原稿搬送制御部１２０は、検知位置ＤＰ３に配置された原稿検知センサーＤＳ３がジャム原稿Ｄの後端通過を検知しており、原稿セットセンサーＳＳがジャム発生検知時に原稿セットトレイ１１に原稿Ｄが無いことを検知していれば、両面読取ジョブが再実行されても、再実行された両面読取ジョブの開始から終了まで第１読取部材１５を起動させない。
【００６４】
また、原稿搬送制御部１２０は、両面読取ジョブの実行中にジャム発生を検知した場合に、検知位置ＤＰ３に配置された原稿検知センサーＤＳ３がジャム原稿Ｄの後端通過を検知しており、原稿セットセンサーＳＳが原稿セットトレイ１１に原稿Ｄが有ることを検知していれば、両面読取ジョブが再実行されると、ジャム原稿Ｄよりも後の頁の原稿Ｄの搬送時から第１読取部材１５を起動させる。
【００６５】
なお、両面読取ジョブの実行中にジャムが発生した場合、検知位置ＤＰ３に配置された原稿検知センサーＤＳ３がジャム原稿Ｄの後端通過を検知していなかったとしても、ジャム原稿Ｄの後端が第１読取位置ＲＰ１を通過していることがある。具体的には、ジャム原稿Ｄの後端が第１読取位置ＲＰ１と検知位置ＤＰ３との間に有れば、検知位置ＤＰ３に配置された原稿検知センサーＤＳ３は検知位置ＤＰ３においてジャム原稿Ｄの後端通過を検知しない。
【００６６】
このため、操作パネル８は、検知位置ＤＰ３に配置された原稿検知センサーＤＳ３がジャム原稿Ｄの後端通過を検知していなければ、第１読取部材１５によるジャム原稿Ｄの裏面の読み取りによって得られた画像データに基づく画像を液晶表示部８１に表示する。これにより、ユーザーは、ジャム原稿Ｄの裏面が正常に読み取られているか否かの確認を行える。また、操作パネル８は、両面読取ジョブの再実行指示を受け付けるときに、第１読取部材１５によるジャム原稿Ｄの裏面の読み取りを再度行うか否かの選択指示も受け付ける。この構成においては、操作パネル８が本発明の「受付部」に相当し、液晶表示部８１が本発明の「表示部」に相当する。
【００６７】
そして、原稿搬送制御部１２０は、操作パネル８がジャム原稿Ｄの裏面の再読み取りが不要である旨を受け付ければ、両面読取ジョブが再実行されても、ジャム原稿Ｄの搬送時に第１読取部材１５を起動させない。一方で、原稿搬送制御部１２０は、操作パネル８がジャム原稿Ｄの裏面の再読み取りが必要である旨を受け付ければ、両面読取ジョブが再実行されると、ジャム原稿Ｄの搬送時に第１読取部材１５を起動させる。
【００６８】
別の例として、原稿搬送制御部１２０は、検知位置ＤＰ３に配置された原稿検知センサーＤＳ３がジャム原稿Ｄの後端通過を検知していなければ、第１読取部材１５の読み取りによって得られたジャム発生検知時の画像データと第１読取位置ＲＰ１に原稿Ｄが無いときの画像データとを比較して、ジャム原稿Ｄの後端が第１読取位置ＲＰ１を通過していたか否かを判断する。
【００６９】
そして、原稿搬送制御部１２０は、ジャム原稿Ｄの後端が第１読取位置ＲＰ１を通過していたと判断すれば、両面読取ジョブが再実行されても、ジャム原稿Ｄの搬送時に第１読取部材１５を起動させない。一方で、原稿搬送制御部１２０は、ジャム原稿Ｄの後端が第１読取位置ＲＰ１を通過していないと判断すれば、両面読取ジョブが再実行されると、ジャム原稿Ｄの搬送時に第１読取部材１５を起動させる。
【００７０】
さらに、別の例として、原稿搬送制御部１２０は、検知位置ＤＰ３に配置された原稿検知センサーＤＳ３がジャム原稿Ｄの後端通過を検知していなければ、検知位置ＤＰ１〜ＤＰ４のうちいずれかの検知位置において原稿Ｄの先端到達または後端通過を検知した時点からジャム発生を検知した時点までの時間と原稿搬送速度とに基づいて、ジャム原稿Ｄの後端が第１読取位置ＲＰ１を通過していたか否かを判断する。たとえば、原稿搬送制御部１２０は、検知位置ＤＰ２に配置された原稿検知センサーＤＳ２が原稿Ｄの後端通過を検知してから計時を開始する。この後、原稿搬送制御部１２０は、ジャム発生を検知すれば、検知位置ＤＰ２に配置された原稿検知センサーＤＳ２が原稿Ｄの後端通過を検知した時点からジャム発生を検知した時点までの時間を求め、その求めた時間と原稿搬送速度とに基づき、ジャム原稿Ｄの後端が第１読取位置ＲＰ１を通過していたか否かを判断する。
【００７１】
以下に、図７に示すフローチャートを参照して、両面読取ジョブの実行中にジャムが発生したことで再実行される両面読取ジョブの再実行時の制御の流れについて説明する。
【００７２】
まず、図７のフローチャートのスタート時点では、ジャム原稿Ｄ（原稿セットトレイ１１に複数枚の原稿Ｄがセットされていた場合にはジャム原稿Ｄを含む全ての原稿Ｄ）が原稿セットトレイ１１に再セットされているとする。そして、操作パネル８が両面読取ジョブの実行指示を再び受け付けたとき、図７のフローチャートがスタートする。
【００７３】
ステップＳ１において、原稿搬送制御部１２０は、現時点の給紙（搬送）対象がジャム原稿Ｄであるか否かを判断する。なお、前回の両面読取ジョブにおいて何枚目の原稿Ｄの搬送中にジャムが発生したかを示す情報が記憶部１２２に記憶されているので、その記憶部１２２に記憶された情報に基づいて、現時点の給紙（搬送）対象がジャム原稿Ｄであるか否かを判断することができる。その結果、現時点の給紙（搬送）対象がジャム原稿Ｄであれば、ステップＳ２に移行する。
【００７４】
ステップＳ２に移行すると、原稿搬送制御部１２０は、ジャム原稿Ｄの後端が第１読取位置ＲＰ１を通過していたか否かを判断する。あるいは、原稿搬送制御部１２０は、両面読取ジョブの再実行指示の受け付け時に、第１読取部材１５によるジャム原稿Ｄの裏面の再読み取りが不要である旨を操作パネル８が受け付けたか否かを判断する。その結果、ジャム原稿Ｄの後端が第１読取位置ＲＰ１を通過していなければ（第１読取部材１５によるジャム原稿Ｄの裏面の再読み取りが必要である旨を操作パネル８が受け付けていれば）、ステップＳ３に移行する。
【００７５】
ステップＳ３において、原稿搬送制御部１２０は、第１読取部材１５を起動させ、画像読取制御部１３０は、第２読取部材２５を起動させる。続いて、ステップＳ４において、原稿搬送部１２０は、給紙部１３および原稿搬送部１４に指示し、給紙動作および搬送動作を実行させる。また、ステップＳ５において、原稿搬送制御部１２０は、原稿Ｄの裏面の読み取りを第１読取部材１５に行わせ、画像読取制御部１３０は、原稿Ｄの表面の読み取りを第２読取部材２５に行わせる。そして、原稿搬送制御部１２０は、原稿Ｄを原稿排出トレイ１２に排出する。
【００７６】
その後、ステップＳ６において、原稿搬送制御部１２０は、原稿セットセンサーＳＳの出力に基づき、原稿セットトレイ１１に原稿Ｄが残っているか否かを判断する。その結果、原稿セットトレイ１１に原稿Ｄが残っていれば、ステップＳ４に移行する。一方で、原稿セットトレイ１１に原稿Ｄが残っていなければ、現在搬送中の原稿Ｄの両面の読み取りが終わり、その原稿Ｄを原稿排出トレイ１２に排出すると、両面読取ジョブを終了する。
【００７７】
ステップＳ２において、ジャム原稿Ｄの後端が第１読取位置ＲＰ１を通過していた場合には（第１読取部材１５によるジャム原稿Ｄの裏面の再読み取りが不要である旨を操作パネル８が受け付けた場合には）、ステップＳ７に移行する。ステップＳ７に移行すると、原稿搬送制御部１２０は、第１読取部材１５を起動させない。一方で、画像読取制御部１３０は、第２読取部材２５を起動させる。続いて、ステップＳ８において、原稿搬送制御部１２０は、給紙部１３および原稿搬送部１４に指示し、給紙動作および搬送動作を実行させる。また、ステップＳ９において、原稿搬送制御部１２０は、原稿Ｄの裏面の読み取りを第１読取部材１５に行わせず、画像読取制御部１３０は、原稿Ｄの表面の読み取りを第２読取部材２５に行わせる。そして、原稿搬送制御部１２０は、原稿Ｄを原稿排出トレイ１２に排出する。
【００７８】
その後、ステップＳ１０において、原稿搬送制御部１２０は、原稿セットセンサーＳＳの出力に基づき、原稿セットトレイ１１に原稿Ｄが残っているか否かを判断する。その結果、原稿セットトレイ１１に原稿Ｄが残っていれば、ステップＳ１１に移行する。ステップＳ１１に移行すると、原稿搬送制御部１２０は、第１読取部材１５を起動させる。なお、画像読取制御部１３０は、第２読取部材２５を起動させたまま保持する。そして、ステップＳ４に移行する。一方で、原稿セットトレイ１１に原稿Ｄが残っていなければ、現在搬送中の原稿Ｄの両面の読み取りが終わり、その原稿Ｄを原稿排出トレイ１２に排出すると、両面読取ジョブを終了する。
【００７９】
ステップＳ１において、現時点の給紙（搬送）対象がジャム原稿Ｄでなければ、ステップＳ１２に移行する。ステップＳ１２に移行すると、稿搬送制御部１２０は、第１読取部材１５を起動させない。また、画像読取制御部１３０は、第２読取部材２５を起動させない。続いて、ステップＳ１３において、原稿搬送制御部１２０は、給紙部１３および原稿搬送部１４に指示し、給紙動作および搬送動作を実行させる。そして、ステップＳ１４において、原稿搬送制御部１２０は、原稿Ｄを原稿排出トレイ１２に排出する。このとき、原稿搬送制御部１２０は、原稿Ｄの裏面の読み取りを第１読取部材１５に行わせず、画像読取制御部１３０は、原稿Ｄの表面の読み取りを第２読取部材２５に行わせない。この後、ステップＳ１に戻る。
【００８０】
本実施形態の画像読取装置２００は、上記のように、第１読取位置ＲＰ１および第２読取位置ＲＰ２を有し、第１読取位置ＲＰ１で原稿Ｄの裏面（一方面）の読み取りを行うとともに第２読取位置ＲＰ２で原稿Ｄの表面（他方面）の読み取りを行う両面読取ジョブの実行が可能な画像読取装置であって、原稿Ｄがセットされる原稿セットトレイ１１と、原稿セットトレイ１１から第１読取位置ＲＰ１を経由して第２読取位置ＲＰ２に至る原稿搬送路１０に沿って原稿Ｄを搬送する搬送ローラー対１４ａ〜１４ｅ（搬送ローラー）と、第１読取位置ＲＰ１を通過する原稿Ｄの表面を読み取る第１読取部材１５と、原稿搬送路１０のうち第１読取位置ＲＰ１と第２読取位置ＲＰ２との間の検知位置ＤＰ３（所定検知位置）を含む複数の検知位置ＤＰ１〜ＤＰ４において原稿Ｄの先端到達および後端通過を検知し、原稿搬送路１０でジャムが発生したか否かを検知する原稿検知センサーＤＳ１〜ＤＳ４（ジャム発生検知部材）と、を含む原稿搬送ユニット１を備える。また、画像読取装置２００は、第２読取位置ＲＰ２を通過する原稿Ｄの他方面を読み取る第２読取部材２５を備える。そして、第１読取部材１５は、検知位置ＤＰ３に配置された原稿検知センサーＤＳ３がジャム発生の検知対象となったジャム原稿Ｄの後端通過を検知していれば、原稿セットトレイ１１にジャム原稿Ｄが再セットされて両面読取ジョブが再実行されても、ジャム原稿Ｄの搬送時に起動しない。
【００８１】
ここで、検知位置ＤＰ３は第１読取位置ＲＰ１と第２読取位置ＲＰ２との間の位置（第１読取位置ＲＰ１よりも原稿搬送方向下流側の位置）であるので、ジャム原稿Ｄの後端が検知位置ＤＰ３を通過しているということは、ジャム原稿Ｄの後端が第１読取位置ＲＰ１を通過している（第１読取部材１５によるジャム原稿Ｄの裏面の読み取りが既に終わっている）ということである。したがって、前回の両面読読取ジョブ（ジャムが発生したために中断した両面読取ジョブ）においてジャム原稿Ｄの後端が検知位置ＤＰ３を通過してれば、両面読取ジョブの再実行時にジャム原稿の裏面を再度読み取る必要はない。
【００８２】
このため、第１読取部材１５は、検知位置ＤＰ３に配置された原稿検知センサーＤＳ３がジャム原稿Ｄの後端通過を検知していれば、両面読取ジョブが再実行されても、ジャム原稿Ｄの搬送時に起動しない。これにより、両面読取ジョブの再実行時における第１読取部材１５での消費電力を低減することができるので、更なる省電力化が可能となる。
【００８３】
また、本実施形態では、上記のように、原稿セットトレイ１１における原稿Ｄの有無を検知する原稿セットセンサーＳＳ（原稿セット検知部材）を備える。そして、第１読取部材１５は、検知位置ＤＰ３に配置された原稿検知センサーＤＳ３がジャム原稿Ｄの後端通過を検知し、原稿セットセンサーＳＳがジャム発生検知時に原稿セットトレイ１１に原稿Ｄが無いことを検知していれば、両面読取ジョブが再実行されても、再実行された両面読取ジョブの開始から終了まで起動しない。このように構成すれば、両面読取ジョブの再実行時における第１読取部材１５での消費電力をより低減することができる。
【００８４】
一方で、第１読取部材１５は、原稿セットセンサーＳＳがジャム発生検知時に原稿セットトレイ１１に原稿Ｄが有ることを検知していれば、両面読取ジョブが再実行されると、ジャム原稿Ｄよりも後の頁の原稿Ｄの搬送時から起動する。このように構成すれば、前回の両面読取ジョブにおいて裏面の読み取りが終わっていない原稿Ｄが有ったとしても、両面読取ジョブの再実行時には裏面の読み取りが終わっていない原稿Ｄの搬送時から第１読取部材１５が起動するので、第１読取部材１５での消費電力を低減することができる。
【００８５】
また、本実施形態では、上記のように、検知位置ＤＰ３に配置された原稿検知センサーＤＳ３がジャム原稿Ｄの後端通過を検知していなければ、液晶表示部８１（表示部）は、第１読取部材１５によるジャム原稿Ｄの裏面の読み取りによって得られた画像データに基づく画像を表示する。そして、操作パネル８（受付部）は、両面読取ジョブの再実行指示を受け付けるときに、第１読取部材１５によるジャム原稿Ｄの裏面の読み取りを再度行うか否かの選択指示を受け付ける。このように構成すれば、前回の両面読取ジョブにおいてジャム原稿Ｄの裏面が正常に読み取られているにもかかわらず、両面読取ジョブの再実行時（ジャム原稿Ｄの搬送時）に第１読取部材１５が起動して無駄に電力が消費される、という不都合が発生するのを抑制することができる。
【００８６】
また、本実施形態では、上記のように、原稿搬送制御部１２０は、検知位置ＤＰ３に配置された原稿検知センサーＤＳ３がジャム原稿Ｄの後端通過を検知しなければ、第１読取部材１５の読み取りによって得られたジャム発生検知時の画像データと第１読取位置ＲＰ１に原稿Ｄが無いときの画像データとを比較して、ジャム原稿Ｄの後端が第１読取位置ＲＰ１を通過していたか否かを判断する。そして、第１読取部材１５は、ジャム原稿Ｄの後端が第１読取位置ＲＰ１を通過していたと原稿搬送制御部１２０が判断すれば、両面読取ジョブが再実行されても、ジャム原稿Ｄの搬送時に起動しない。このように構成した場合にも、前回の両面読取ジョブにおいてジャム原稿Ｄの裏面が正常に読み取られているにもかかわらず、両面読取ジョブの再実行時（ジャム原稿Ｄの搬送時）に第１読取部材１５が起動して無駄に電力が消費される、という不都合が発生するのを抑制することができる。
【００８７】
また、本実施形態では、上記のように、原稿搬送制御部１２０は、検知位置ＤＰ３に配置された原稿検知センサーＤＳ３がジャム原稿Ｄの後端通過を検知していなければ、検知位置ＤＰ１〜ＤＰ４のうちいずれかの検知位置において原稿Ｄの先端到達または後端通過を検知した時点からジャム発生を検知した時点までの時間と原稿搬送速度とに基づいて、ジャム原稿Ｄの後端が第１読取位置ＲＰ１を通過していたか否かを判断する。そして、第１読取部材１５は、ジャム原稿Ｄの後端が第１読取位置ＲＰ１を通過していたと原稿搬送制御部１２０が判断すれば、両面読取ジョブが再実行されても、ジャム原稿Ｄの搬送時に起動しない。このように構成した場合にも、前回の両面読取ジョブにおいてジャム原稿Ｄの裏面が正常に読み取られているにもかかわらず、両面読取ジョブの再実行時（ジャム原稿Ｄの搬送時）に第１読取部材１５が起動して無駄に電力が消費される、という不都合が発生するのを抑制することができる。
【００８８】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００８９】
１  原稿搬送ユニット
８  操作パネル（受付部）
１０  原稿搬送路
１１  原稿セットトレイ
１４ａ、１４ｂ、１４ｃ、１４ｄ、１４ｅ  搬送ローラー対（搬送ローラー）
１５  第１読取部材
２５  第２読取部材
８１  液晶表示部（表示部）
１００  画像形成装置
１２０  原稿搬送制御部
２００  画像読取装置
Ｄ  原稿、ジャム原稿
ＤＰ１、ＤＰ２、ＤＰ４  検知位置
ＤＰ３  検知位置（所定検知位置）
ＤＳ１、ＤＳ２、ＤＳ３、ＤＳ４  原稿検知センサー（ジャム発生検知部材）
ＲＰ１  第１読取位置
ＲＰ２  第２読取位置
ＳＳ  原稿セットセンサー（原稿セット検知部）
【図１】
0006055739.tif 000002
【図２】
0006055739.tif 000003
【図３】
0006055739.tif 000004
【図４】
0006055739.tif 000005
【図５】
0006055739.tif 000006
【図６】
0006055739.tif 000007
【図７】
0006055739.tif 000008